(57)【要約】【課題】指定した色について好みの色味に所望の調整量で調整する。【解決手段】ＲＧＢ画像データをＣＭＹＫ画像データに変換する際に、変化させたい色についての指定と、該変化させたい色の調整量についての設定を受け付ける操作入力手段と、操作入力手段で指定された色について、設定された調整量での調整を実行する色調整手段とを有し、操作入力手段は、該変化させたい色の調整量について、粗調整と微調整のそれぞれ異なる調整量についての設定を受け付ける機能を有し、色調整手段は、ＲＧＢ画像データをＬａｂ画像データあるいはＬｃｈ画像データに変換した上で調整を実行するものであり、操作入力手段から指定された色と設定された調整量とに従い、指定された色のＬａｂ画像データあるいはＬｃｈ画像データを中心とし、明度・彩度・色相のいずれかが中心から離れるほど、変化量が小さくなるように調整量を算出した上で調整を行う。【選択図】      図１
2004328075.tif 000002
【特許請求の範囲】
【請求項１】
外部から入力されたＲＧＢ画像データを、画像形成装置の記録色に応じたＣＭＹＫ画像データに変換する機能を有する画像処理装置であって、
変化させたい色についての指定と、該変化させたい色の調整量についての設定を受け付ける操作入力手段と、
前記操作入力手段で指定された色について、設定された調整量での調整を実行する色調整手段と、
を有することを特徴とする画像処理装置。
【請求項２】
前記操作入力手段は、該変化させたい色の調整量について、粗調整と微調整のそれぞれ異なる調整量についての設定を受け付ける機能を有する、
ことを特徴とする請求項１記載の画像処理装置。
【請求項３】
前記色調整手段は、ＲＧＢ画像データをＬａｂ画像データあるいはＬｃｈ画像データに変換した上で調整を実行するものであり、前記操作入力手段から指定された色と設定された調整量とに従い、指定された色のＬａｂ画像データあるいはＬｃｈ画像データを中心とし、明度・彩度・色相のいずれかが中心から離れるほど、変化量が小さくなるように調整量を算出した上で調整を行う、
ことを特徴とする請求項１記載の画像処理装置。
【請求項４】
前記操作入力手段から指定できる色として肌色を含む、
ことを特徴とする請求項１記載の画像処理装置。
【請求項５】
前記色調整手段は、ガウス関数に基づいて前記調整量を算出する、
ことを特徴とする請求項３記載の画像処理装置。
【請求項６】
前記色調整手段は、前記操作入力手段から指定された色と設定された調整量とに従ってＬａｂ画像データあるいはＬｃｈ画像データ上で調整量の算出を行い、あらかじめ設定された同系色領域内で、明度・色相・彩度のいずれかが離れるほど調整量を小さくする、
ことを特徴とする請求項５記載の画像処理装置。
【請求項７】
前記色調整手段は、ＲＧＢ画像データからＬａｂ画像データおよびＬｃｈ画像データに変換して調整を実行し、色調整されたＬａｂ画像データおよびＬｃｈ画像データをＲＧＢ画像データに再変換する機能を有する、
ことを特徴とする請求項６記載の画像処理装置。
【請求項８】
前記色調整手段は、ＲＧＢ画像データについて１６×１６×１６の格子点を有し、ＲＧＢ画像データからＬａｂ画像データおよびＬｃｈ画像データへの変換ならびにＬａｂ画像データおよびＬｃｈ画像データからＲＧＢ画像データへの再変換を行う、
ことを特徴とする請求項７記載の画像処理装置。
【発明の詳細な説明】
【０００１】
【発明の属する技術分野】
本発明は、画像処理装置に関し、特に、カラープリンタやカラー複写機などの画像形成装置において他の色への影響を与えずに所望の色について所望の調整量で調整可能な画像処理装置に関する。
【０００２】
【従来の技術】
従来から各種の色調整技術が存在しており、この種の色調整手段がカラー複写機などにも搭載されている。
【０００３】
カラー複写機にも適用可能な色調整技術としては、以下の特許文献１や特許文献２に記載されたものが知られている。
【０００４】
【特許文献１】
特開平６−１３３３２９号公報（第１頁、図１）
【特許文献２】
特開平６−１２１１５９号公報（第１頁、図１）
【０００５】
【発明が解決しようとする課題】
以上の特許文献１や特許文献２のように、ＰＣやスキャナなどの外部から入力されたＲＧＢ画像データを画像形成装置の記録色に応じたＣＭＹＫ画像データに変換する機能を有する画像処理装置では、希望の色を選択して、色相や明度を調整をするものが存在していた。
【０００６】
ただし、以上の特許文献１に記載の画像処理装置では、希望の色だけではなく、読み込んだ画像データ全体が変化してしまい、調整したい色以外についても色が変化してしまうという不具合が存在していた。
【０００７】
また、以上の特許文献２のように一部の決められた色について調整を行う技術も存在しているが、記憶色への変換を目的とする自動調整であるため、オペレータの所望の色を所望の調整量で所望の方向に調整するものではなかった。
【０００８】
すなわち、調整したい色を指定し、かつ、好みの色味に調整するような画像処理装置は存在していなかった。
【０００９】
本願発明は以上の課題に鑑みてなされたものであって、調整したい色を指定し、かつ、指定した色について好みの色味に所望の調整量で調整することが可能な画像処理装置を実現することにある。
【００１０】
【課題を解決するための手段】
上述した課題は、以下に述べるそれぞれの解決手段によって解決される。
【００１１】
（１）請求項１記載の発明は、外部から入力されたＲＧＢ画像データを、画像形成装置の記録色に応じたＣＭＹＫ画像データに変換する機能を有する画像処理装置であって、変化させたい色についての指定と、該変化させたい色の調整量についての設定を受け付ける操作入力手段と、前記操作入力手段で指定された色について、設定された調整量での調整を実行する色調整手段と、を有することを特徴とする画像処理装置である。
【００１２】
この発明では、外部から入力されたＲＧＢ画像データを、画像形成装置の記録色に応じたＣＭＹＫ画像データに変換する際に、変化させたい色の指定とその色の調整量の設定とを操作入力手段にて受け付け、指定された色について設定された調整量での調整を色調整手段が実行する。
【００１３】
これにより、画像処理装置において、調整したい色を指定し、かつ、指定した色について好みの色味に所望の調整量で調整することが可能になる。
【００１４】
（２）請求項２記載の発明は、前記操作入力手段は、該変化させたい色の調整量について、粗調整と微調整のそれぞれ異なる調整量についての設定を受け付ける機能を有する、ことを特徴とする請求項１記載の画像処理装置である。
【００１５】
この発明では、上記（１）において、変化させたい色の調整量について、粗調整と微調整のそれぞれ異なる調整量についての設定を受け付ける機能を操作入力手段が有するように構成されている。
【００１６】
これにより、画像処理装置において、粗調整と微調整とによって、指定した色について好みの色味に所望の調整量で調整することが可能になる。
【００１７】
（３）請求項３記載の発明は、前記色調整手段は、ＲＧＢ画像データをＬａｂ画像データあるいはＬｃｈ画像データに変換した上で調整を実行するものであり、前記操作入力手段から指定された色と設定された調整量とに従い、指定された色のＬａｂ画像データあるいはＬｃｈ画像データを中心とし、明度・彩度・色相のいずれかが中心から離れるほど、変化量が小さくなるように調整量を算出した上で調整を行う、ことを特徴とする請求項１記載の画像処理装置である。
【００１８】
この発明では、上記（１）において、色調整手段がＲＧＢ画像データをＬａｂ画像データあるいはＬｃｈ画像データに変換した上で調整を実行するものであり、操作入力手段から指定された色と設定された調整量とに従い、指定された色のＬａｂ画像データあるいはＬｃｈ画像データを中心とし、明度・彩度・色相のいずれかが中心から離れるほど、変化量が小さくなるように調整量を算出した上で調整を行う。
【００１９】
このようにＬａｂあるいはＬｃｈ色空間の画像データとすることで、画像処理装置において、他の色に影響を与えず、好みの色味に所望の調整量で調整することが可能になる。
【００２０】
（４）請求項４記載の発明は、前記操作入力手段から指定できる色として肌色を含む、ことを特徴とする請求項１記載の画像処理装置である。
【００２１】
この発明では、上記（１）において、操作入力手段から指定できる色として肌色を含むように構成されている。
【００２２】
このように肌色を直接指定可能なように構成されていることで、画像処理装置において、他の色に影響を与えず、人物像などを好みの色味に所望の調整量で調整することが可能になる。
【００２３】
（５）請求項５記載の発明は、前記色調整手段は、ガウス関数に基づいて前記調整量を算出する、ことを特徴とする請求項３記載の画像処理装置である。
【００２４】
この発明では、上記（３）において、色調整手段は、ガウス関数に基づいて調整量を算出するように構成されている。
【００２５】
この場合、色の調整はガウス関数によって、指定された色から同系色の領域まで段階的あるいは連続的に変化するようになるので、突然の色の乱れが生じることはなく、他の色に影響を与えずに、好みの色味に所望の調整量で調整することが可能になる。
【００２６】
（６）請求項６記載の発明は、前記色調整手段は、前記操作入力手段から指定された色と設定された調整量とに従ってＬａｂ画像データあるいはＬｃｈ画像データ上で調整量の算出を行い、あらかじめ設定された同系色領域内で、明度・色相・彩度のいずれかが離れるほど調整量を小さくする、ことを特徴とする請求項５記載の画像処理装置である。
【００２７】
この発明では、上記（５）において、色調整手段は、操作入力手段から指定された色と設定された調整量とに従ってＬａｂ画像データあるいはＬｃｈ画像データ上で調整量の算出を行い、あらかじめ設定された同系色領域内で、明度・色相・彩度のいずれかが離れるほど調整量を小さくするように構成されている。
【００２８】
このようにＬａｂあるいはＬｃｈ色空間において、色の調整はガウス関数によって、指定された色から同系色の領域まで段階的あるいは連続的に変化するようになるので、突然の色の乱れが生じることはなく、他の色に影響を与えずに、好みの色味に所望の調整量で調整することが可能になる。
【００２９】
（７）請求項７記載の発明は、前記色調整手段は、ＲＧＢ画像データからＬａｂ画像データおよびＬｃｈ画像データに変換して調整を実行し、色調整されたＬａｂ画像データおよびＬｃｈ画像データをＲＧＢ画像データに再変換する機能を有する、ことを特徴とする請求項６記載の画像処理装置である。
【００３０】
この発明では、上記（６）において、色調整手段は、ＲＧＢ画像データからＬａｂ画像データおよびＬｃｈ画像データに変換して調整を実行し、色調整されたＬａｂ画像データおよびＬｃｈ画像データをＲＧＢ画像データに再変換する機能を有するように構成されている。
【００３１】
（８）請求項８記載の発明は、前記色調整手段は、ＲＧＢ画像データについて１６×１６×１６の格子点を有し、ＲＧＢ画像データからＬａｂ画像データおよびＬｃｈ画像データへの変換ならびにＬａｂ画像データおよびＬｃｈ画像データからＲＧＢ画像データへの再変換を行う、ことを特徴とする請求項７記載の画像処理装置である。
【００３２】
この発明では、上記（７）において、色調整手段は、ＲＧＢ画像データについて１６×１６×１６の格子点を有し、ＲＧＢ画像データからＬａｂ画像データおよびＬｃｈ画像データへの変換ならびにＬａｂ画像データおよびＬｃｈ画像データからＲＧＢ画像データへの再変換を行うようにしている。これにより、必要かつ十分な色数（階調）を有しつつ、かつ、高速に調整を行って画像処理を実行することが可能になる。
【００３３】
【発明の実施の形態】
以下、添付図面を参照して、この発明にかかる画像処理装置の好適な実施の形態について説明する。なお、これにより本発明の内容が限定されるものではない。まず、本願発明の実施の形態にかかる画像処理装置の全体構成について説明する。
【００３４】
〈本発明の実施の形態例の全体構成〉
図１は本発明の実施の形態例の画像処理装置が適用される画像形成装置１００の構成を示している。
【００３５】
ここで、画像形成装置１００は、外部機器から入力されるＲＧＢ画像データを受けるインタフェースなどの入力部１１０、変化させたい色についての指定と該変化させたい色の調整量についての設定を受け付ける操作入力部１２０、画像データを格納する画像メモリ１３０、入力されたＲＧＢ画像データを画像形成装置の記録色に応じたＣＭＹＫ画像データに変換すると共に指定された色について設定された調整量での調整を実行する機能を有する色調整部１４０、プリントエンジンなどによって画像形成を行う画像形成部１５０、を有して構成されている。
【００３６】
また、色調整部１４０は、以下の各部１４１〜１４９から構成されている。１４１はＲＧＢをＸＹＺに座標変換するＲＧＢ→ＸＹＺ変換部、１４２はＸＹＺをＬａｂに座標変換するＸＹＺ→Ｌａｂ変換部、１４３はＬａｂをＬｃｈに座標変換するＬａｂ→Ｌｃｈ変換部、１４４は操作入力部１１０からの変化させたい色についての指定と該変化させたい色の調整量についての設定に基づいて色調整の際の調整量を算出する調整量算出部、１４５は算出された調整量に基づいてＬｃｈ画像データに対して色調整を実行する色調整部、１４６はＬｃｈをＬａｂに座標変換するＬｃｈ→Ｌａｂ変換部、１４７はＬａｂをＸＹＺに座標変換するＬａｂ→ＸＹＺ変換部、１４８はＸＹＺをＲＧＢに座標変換するＸＹＺ→ＲＧＢ変換部、１４９はＲＧＢを画像形成部の記録色に応じたＣＭＹＫ画像データに変換するＲＧＢ→ＣＭＹＫ変換部、である。
【００３７】
なお、以上示した色調整部１４０の各部は処理機能毎にブロックで示した機能ブロックであるため、全体をＣＰＵと処理ソフトウェアの組み合わせ，処理プロセッサ，ＤＳＰなどで構成することも可能である。
【００３８】
図２は操作入力部１１０に表示すべき表示画面（操作入力画面）の一例を示す説明図である。ここで、操作入力部１１０として、液晶表示パネルとタッチパネルとを一体化したものを使用すると、操作者が図２に示す表示画面（操作入力画面）中の各アイコンに触れることで、操作の入力（変化させたい色についての指定と、該変化させたい色の調整量についての設定）とすることが可能である。
【００３９】
すなわち、操作入力部１１０に表示されたアイコンに操作者が触れることで、その指定あるいは選択されたアイコンのデータが調整量算出部１４４に伝達され、変化させたい色についての指定と該変化させたい色の調整量についての設定に基づいて調整量算出部１４４が色調整の際の調整量を算出する。
【００４０】
この図２の操作入力画面の例では、図２（ａ）と図２（ｂ）との２つのパターンを示しており、いずれの場合も、変化させたい色についての指定と、該変化させたい色の調整量についての設定を受け付けることが可能に構成されている。
【００４１】
この図２の操作入力画面の例では、変化させたい色としては、たとえば、「赤」，「青」，「黄」，「緑」，「肌色」など、代表的な色が幾つか示されている。また、変化させたい色の調整量としては、たとえば、「色相」と「明度」について、段階的な調整量のアイコンが示されている。
【００４２】
なお、本願明細書において、「肌色」とは、本願発明が適用される国、地域、などにおいて、一般的な肌の色を意味する。たとえば、オークルピンクなどの色が該当するが、この色に限定されるものではない。
【００４３】
さらに、それ以外に、変化させたい色の調整量については、「粗調整」と「微調整」のそれぞれ異なる調整量についての設定を受け付けることが可能なように構成されている。すなわち、「粗調整」あるいは「微調整」のアイコンに触れることで、１ステップあたりの調整量が変化するように構成されている。たとえば、微調整の場合、調整量が粗調整の半分のステップになる等である。
【００４４】
なお、操作入力部１１０に表示される表示画面はあくまでも一例を示しており、変化させたい色についての指定と、該変化させたい色の調整量についての設定を受け付けるために各種の変形が可能である。
【００４５】
すなわち、この図１と図２とに示した画像処理装置は、ＰＣ（図示せず）あるいはスキャナ（図示せず）などの外部機器から入力されたＲＧＢ画像データを、画像形成装置の記録色に応じたＣＭＹＫ画像データに変換する機能を有しており、変化させたい色についての指定と、該変化させたい色の調整量についての設定を受け付け、指定された色について、設定された調整量での調整を実行する機能を有する。このような機能により、後述するように、画像処理装置において、調整したい色を指定し、かつ、指定した色について好みの色味に所望の調整量で調整することが可能になる。
【００４６】
〈本発明の実施の形態例の動作〉
図３は本発明の実施の形態例の画像処理装置の処理状態を示すフローチャートである。以下、このフローチャートを参照して、本発明の実施の形態例の動作説明を行う。
【００４７】
ＰＣ（図示せず）あるいはスキャナ（図示せず）などの外部機器からのＲＧＢ画像データが入力部１２０を介して入力され、画像メモリ１３０に格納される。このＲＧＢ画像データについての色調整を実行しようとする場合、図３のルーチンが本発明の実施の形態例の画像処理装置により実行される。
【００４８】
ここで、操作入力部１１０には図２（ａ）あるいは図２（ｂ）のような操作入力画面が表示されており、操作者から、変化させたい色についての指定がなされる（図３Ｓ１）。この図２の操作入力画面の例では、変化させたい色としては、「赤」，「青」，「黄」，「緑」，「肌色」の代表的な色の中から選択的な指定がなされる。
【００４９】
続いて、変化させたい色について、その調整量として、色味としての「色相」の調整と、明るさとしての「明度」の調整の一方あるいは両方について、段階的な調整が、操作者からなされる（図３Ｓ２）。
【００５０】
ここで、画像メモリに格納されているＲＧＢ画像データについて、１６×１６×１６の格子点を１データセットとして（図３Ｓ３）、以後この１データセット毎に以下の色調整処理を進める。
【００５１】
まず、ＲＧＢ→ＸＹＺ変換部１４１は、画像メモリ１３０からの１データセットについて、ＲＧＢを三刺激値であるＸＹＺに座標変換する（図３Ｓ４）。ここでは、ＲＧＢ→ＸＹＺ変換部１４１は、最適されたマスキング係数（３×３行列）により、図４に示す変換式（１）により、ＸＹＺ画像データを生成する。
【００５２】
つぎに、ＸＹＺ→Ｌａｂ変換部１４２は、ＸＹＺ画像データをＬａｂ画像データに座標変換する（図３Ｓ５）。ここでは、ＸＹＺ→Ｌａｂ変換部１４２は、図５に示す変換式（２）（３）（４）により、Ｌａｂ画像データを生成する。ここで、光源Ｄ６５を使用し、白色点の三刺激値（Ｘｗ，Ｙｗ，Ｚｗ）＝（０．９５０４，１．０，１．０８８９）とする。
【００５３】
そして、Ｌａｂ→Ｌｃｈ変換部１４３は、Ｌａｂ画像データをＬｃｈ画像データに座標変換する（図３Ｓ６）。ここでは、Ｌａｂ→Ｌｃｈ変換部１４３は、図６に示す変換式（５）（６）（７）により、Ｌｃｈ画像データを生成する。
【００５４】
ここで、操作入力部１１０に表示された図２の操作入力画面内のアイコンを介して操作者から入力された情報（指定された色、設定された調整量）が調整量算出部１４４に伝達されており、変化させたい色についての指定と該変化させたい色の調整量についての設定に基づいて調整量算出部１４４が色調整の際の調整量をガウス関数に基づいて算出する（図３Ｓ７）。
【００５５】
ここでは、調整量算出部１４４は、図７に示す変換式（８）により、ガウス関数に基づいた調整量の算出を行う。ここで、Ｌ＿ｃｅｎｔｅｒ，ｃ＿ｃｅｎｔｅｒ，ｈ＿ｃｅｎｔｅｒはそれぞれＬｃｈ空間上の指定された色の中心点である。Ｌ＿ｌｉｍｉｔ，ｃ＿ｌｉｍｉｔ，ｈ＿ｌｉｍｉｔはそれぞれＬｃｈ空間上の指定された色の中心点の周囲の同系色領域範囲の周辺部の範囲である。また、ｕは色味の中心の調整量、すなわち、操作入力部１１０から入力された調整量の設定値である。
【００５６】
このガウス関数に基づいた色調整の際の調整量の算出については、図８を用いて説明する。
【００５７】
図８（ａ）は、色相についての入力ｈ（ｉｎ＿ｈ）と、色相についての出力ｈ（ｏｕｔ＿ｈ）とについて、何も調整しないスルー時のリニアな状態を示す特性図である。
【００５８】
図８（ｂ）は、色相についての入力ｈ（ｉｎ＿ｈ）と、色相についての調整量Δｈとについての状態を示す特性図である。ここで、横軸の調整中心点は、図２の操作入力画面において指定（選択）される色の色相が該当する。また、あらかじめ設定された同系色領域内で、中心から離れるほど調整量を小さくするようなガウス分布となるように定めてある。なお、同系色領域範囲の周辺部分は、あらかじめ定めておくことが望ましい。
【００５９】
図８（ｃ）は、色相についての入力ｈ（ｉｎ＿ｈ）と、色相についての出力ｈ（ｏｕｔ＿ｈ）とについて、図８（ｂ）の調整量を適用して調整した状態における特性図である。
【００６０】
なお、この図８は色相についてのガウス分布に基づく調整の様子を示しているが、色相だけではなく、明度や彩度についても、調整中心点から離れるほど調整量を小さくするように調整量を求めることが好ましい。
【００６１】
このようにガウス分布に基づいた調整量の場合、色の調整はガウス関数によって指定された色から同系色の領域まで段階的あるいは連続的に変化するようになるので、突然の色の乱れが生じることはなく、他の色に影響を与えずに、好みの色味に所望の調整量で調整することが可能になる。
【００６２】
そして、Ｌａｂ→Ｌｃｈ変換部１４３で生成されたＬｃｈ画像データに対して、色調整部１４５において、以上のようにして算出された調整量を適用することで、新たなＬｃｈ画像データを生成する（図３Ｓ８）。
【００６３】
なお、Ｌｃｈ画像データでは、明度・色相・彩度の情報を有する状態の座標系になっているため、算出した調整量の適用が容易になっている。
【００６４】
ここで、Ｌｃｈ→Ｌａｂ変換部１４６は、Ｌｃｈ画像データをＬａｂ画像データに座標変換する（図３Ｓ９）。ここでは、Ｌｃｈ→Ｌａｂ変換部１４６は、図９に示す変換式（９）（１０）（１１）により、Ｌａｂ画像データを再生成する。
【００６５】
つぎに、Ｌａｂ→ＸＹＺ変換部１４７は、Ｌａｂ画像データをＸＹＺ画像データに座標変換する（図３Ｓ１０）。ここでは、Ｌａｂ→ＸＹＺ変換部１４７は、図１０に示す変換式（１２）（１３）（１４）により、ＸＹＺ画像データを再生成する。ここでは、ＸＹＺ→Ｌａｂ変換部１４２におけるＬａｂ画像データ生成時と同様の光源Ｄ６５と、白色点の三刺激値を想定している。
【００６６】
さらに、ＸＹＺ→ＲＧＢ変換部１４８は、ＸＹＺ画像データをＲＧＢ画像データに座標変換する（図３Ｓ１１）。ここでは、ＸＹＺ→ＲＧＢ変換部１４８は、図４に示した変換式（１）の逆行列（図１１変換式（１５））により、ＲＧＢ画像データを生成する。
【００６７】
そして、以上のようにしてＲＧＢ画像データをＬｃｈ画像データに変換した上で調整を行った後に再びＲＧＢ画像データに戻した状態の１データセットについて、画像メモリ１３０に再び格納する（図３Ｓ１２）。
【００６８】
そして、外部から入力されて画像メモリ１３０に格納されたＲＧＢ画像データについて、１６×１６×１６の格子点全てのデータセットについて順次実行する（図３Ｓ１３→Ｓ３）。
【００６９】
最後に、色調整がなされた状態の新たなＲＧＢ画像データは、画像メモリ１３０に格納された時点で、ＲＧＢ→ＣＭＹＫ変換部１４９によって画像形成部１５０の記録色（ＣＭＹＫ）に応じたＣＭＹＫ画像データに変換される（図３Ｓ１４）。そして、画像メモリ１３０からＣＭＹＫ画像データを受けた画像形成部１５０は、ＣＭＹＫ画像データによりカラー画像を画像形成して出力する。
【００７０】
以上説明した本発明の実施の形態例によれば、以下の▲１▼〜▲８▼に示すような作用効果が得られる。
【００７１】
▲１▼この実施の形態例では、外部から入力されたＲＧＢ画像データを、画像形成装置の記録色に応じたＣＭＹＫ画像データに変換する際に、変化させたい色の指定とその色の調整量の設定とを操作入力部にて受け付け、指定された色について設定された調整量での調整を色調整部が実行する。これにより、画像処理装置において、調整したい色を指定し、かつ、指定した色について好みの色味に所望の調整量で調整することが可能になる。
【００７２】
▲２▼この実施の形態例では、上記▲１▼において、変化させたい色の調整量について、粗調整と微調整のそれぞれ異なる調整量についての設定を受け付ける機能を操作入力部が有するように構成されている。これにより、画像処理装置において、粗調整と微調整とによって、指定した色について好みの色味に所望の調整量で調整することが可能になる。
【００７３】
▲３▼この実施の形態例では、上記▲１▼において、色調整部がＲＧＢ画像データをＬａｂ画像データあるいはＬｃｈ画像データに変換した上で調整を実行するものであり、操作入力部から指定された色と設定された調整量とに従い、指定された色のＬａｂ画像データあるいはＬｃｈ画像データを中心とし、明度・彩度・色相のいずれかが中心から離れるほど、変化量が小さくなるように調整量を算出した上で調整を行う。このようにＬａｂあるいはＬｃｈ色空間の画像データとすることで、画像処理装置において、他の色に影響を与えず、好みの色味に所望の調整量で調整することが可能になる。
【００７４】
▲４▼この実施の形態例では、上記▲１▼において、操作入力部から指定できる色として肌色を含むように構成されている。このように肌色を直接指定可能なように構成されていることで、画像処理装置において、他の色に影響を与えず、人物像などを好みの色味に所望の調整量で調整することが可能になる。
【００７５】
▲５▼この実施の形態例では、上記▲３▼において、色調整部は、ガウス関数に基づいて調整量を算出するように構成されている。この場合、色の調整はガウス関数によって、指定された色から同系色の領域まで段階的あるいは連続的に変化するようになるので、突然の色の乱れが生じることはなく、他の色に影響を与えずに、好みの色味に所望の調整量で調整することが可能になる。
【００７６】
▲６▼この実施の形態例では、上記▲５▼において、色調整部は、操作入力部から指定された色と設定された調整量とに従ってＬａｂ画像データあるいはＬｃｈ画像データ上で調整量の算出を行い、あらかじめ設定された同系色領域内で、明度・色相・彩度のいずれかが離れるほど調整量を小さくするように構成されている。このようにＬａｂあるいはＬｃｈ色空間において、色の調整はガウス関数によって、指定された色から同系色の領域まで段階的あるいは連続的に変化するようになるので、突然の色の乱れが生じることはなく、他の色に影響を与えずに、好みの色味に所望の調整量で調整することが可能になる。
【００７７】
▲７▼この実施の形態例では、上記▲６▼において、色調整部は、ＲＧＢ画像データからＬａｂ画像データおよびＬｃｈ画像データに変換して調整を実行し、色調整されたＬａｂ画像データおよびＬｃｈ画像データをＲＧＢ画像データに再変換する機能を有するように構成されている。
【００７８】
▲８▼この実施の形態例では、上記▲７▼において、色調整部は、ＲＧＢ画像データについて１６×１６×１６の格子点を有し、ＲＧＢ画像データからＬａｂ画像データおよびＬｃｈ画像データへの変換ならびにＬａｂ画像データおよびＬｃｈ画像データからＲＧＢ画像データへの再変換を行うようにしている。これにより、必要かつ十分な色数（階調）を有しつつ、かつ、高速に調整を行って画像処理を実行することが可能になる。
【００７９】
▲９▼以上の実施の形態例では、カラープリンタやカラー複写機などの画像形成装置に適用した画像処理装置の具体例を示した。すなわち、本発明の実施の形態例の画像処理装置は、操作入力も容易であり、画像形成装置に内蔵するのに好適である。
【００８０】
〈その他の実施の形態例〉
以上の実施の形態例では、カラープリンタやカラー複写機などの画像形成装置に適用した画像処理装置の具体例を示したが、これに限定されるものではなく、画像処理装置単体で存在していてもよい。
【００８１】
また、以上の実施の形態例では、操作入力画面で指定された色と設定された調整量とに従って色調整を実行しているが、調整後の色見本を操作入力画面に表示して、操作者の確認を受けてから実際の色調整を実行するようにしてもよい。
【００８２】
【発明の効果】
以上、詳細に説明したように、本発明によれば、調整したい色を指定し、かつ、指定した色について好みの色味に所望の調整量で調整することが可能な画像処理装置を実現できる。
【図面の簡単な説明】
【図１】本発明の実施の形態例の構成を示すブロック図である。
【図２】本発明の実施の形態例の操作入力画面の一例を示す説明図である。
【図３】本発明の実施の形態例の動作を示すフローチャートである。
【図４】本発明の実施の形態例の動作時の変換式の一例を示す説明図である。
【図５】本発明の実施の形態例の動作時の変換式の一例を示す説明図である。
【図６】本発明の実施の形態例の動作時の変換式の一例を示す説明図である。
【図７】本発明の実施の形態例の動作時の変換式の一例を示す説明図である。
【図８】本発明の実施の形態例の動作時の変換の様子を示す特性図である。
【図９】本発明の実施の形態例の動作時の変換式の一例を示す説明図である。
【図１０】本発明の実施の形態例の動作時の変換式の一例を示す説明図である。
【図１１】本発明の実施の形態例の動作時の変換式の一例を示す説明図である。
【符号の説明】
１００  画像形成装置
１１０  操作入力部
１２０  入力部
１３０  画像メモリ
１４０  色調整部
１５０  画像形成部
【図１】
2004328075.tif 000003
【図２】
2004328075.tif 000004
【図３】
2004328075.tif 000005
【図４】
2004328075.tif 000006
【図５】
2004328075.tif 000007
【図６】
2004328075.tif 000008
【図７】
2004328075.tif 000009
【図８】
2004328075.tif 000010
【図９】
2004328075.tif 000011
【図１０】
2004328075.tif 000012
【図１１】
2004328075.tif 000013